(57)【特許請求の範囲】
【請求項１】
メイン液晶パネルと、サブ液晶パネルを備える両面表示型の液晶モジュールにおいて、
前記メイン液晶パネルの背面側に配置された金属製の背面ケースには前記サブ液晶パネルに対応した矩形状の開口部が設けられており、該開口部には着脱可能な樹脂製の枠体が設置されており、該枠体に前記サブ液晶パネルが取り付けられており、
前記背面ケースの前記開口部に水平方向の凹部が形成されるとともに、前記枠体に水平方向の凸部が形成され、前記凸部が前記凹部と嵌合することで、前記枠体が前記開口部に着脱可能に設置されており、
前記開口部の三辺には、前記枠体を取り囲むようにして前記メイン液晶パネルとは反対側に立ち上げられた壁部が設けられており、
前記壁部が設けられた前記開口部の三辺に対応する前記枠体の三辺には、前記枠体を構成する側壁部の前記メイン液晶パネルと反対側の端部に、前記枠体の外側に向かって水平方向に延出された庇部が形成されており、
前記庇部が形成されていない前記枠体の辺は、他の辺よりも前記側壁部の高さが低く形成されており、
前記庇部が形成されていない前記枠体の辺、及び当該辺の両隣の辺には、前記側壁部の前記メイン液晶パネル側の端部から前記枠体の内側に向かって水平方向に延出された床部が形成されており、
前記壁部及び庇部が形成されていない辺に、前記サブ液晶パネルのフレキシブル基板が接続される辺が配置されていることを特徴とする両面表示型液晶モジュール。
【発明の詳細な説明】
【技術分野】
【０００１】
この発明は、携帯電話機、ＰＤＡ等の携帯端末機器として用いる上で最適な液晶モジュ
ールに関するものであり、更には、携帯端末機器の一方側及び他方側において表示をでき
る両面表示型のものとして最適な液晶モジュールに関する。
【背景技術】
【０００２】
近年では、携帯電話、ＰＤＡ等の携帯型の情報端末機器が広く普及している。これらの
機器の中でも、特に携帯電話機は、本来の電話としての機能だけでなく、デジタルカメラ
としての機能、またインターネットに接続して、種々の機能、例えば電子メール、情報検
索、ナビゲーション等々の機能を備え、日常生活において欠かせないものとなっている。
【０００３】
このように高機能化する携帯電話は、所謂ハード面でも、利便性、軽量化及び携帯性が
より追求され、多種のタイプのものが開発され、製品化されている。例えば従来よくみら
れたストレートタイプに代わり、最近では折り畳み式の携帯電話がよくみうけられる。
【０００４】
そしてこの折り畳み式の携帯電話においても、従来は携帯電話を伸ばした状態で使用す
るものであり、その状態で情報を表示していた。そのため情報を表示するための画面は一
つでよく、このような１画面式のものがよくみられていた。しかし最近では携帯電話を折
り畳んだ状態でも、着信相手の名前や現在時刻等の簡単な情報を表示するようになり、そ
のためのサブ画面を備えた２画面式のものがよくみうけられる。
【０００５】
この２画面式の携帯電話に用いられる表示用のモジュールとして、特許文献１に記載さ
れているような両面表示型液晶モジュールがある。
【０００６】
図３は、特許文献１に記載された両面表示型液晶モジュールの分解斜視図である。この
両面表示型液晶モジュールは、２画面式の携帯電話におけるメインの表示画面として用い
るメイン液晶パネル７１と、このメイン液晶パネル７１を収容するホルダ７２と、導光板
や光学シート等から構成されたバックライト７３と、フレキシブル基板７４と、２画面式
の携帯電話におけるサブの表示画面として用いるサブ液晶パネル７６とから構成されてい
る。
【０００７】
しかし、このような両面表示型液晶モジュールを、携帯電話の表示ハウジングにそのま
ま収容してしまうと、バックライト７３にフレキシブル基板７４が載置されたままで、完
全に露出した状態にあるので、フレキシブル基板７４に形成された回路パターンや載置さ
れた回路素子に塵等が付着しやすく、また衝撃により破損する恐れが生じる。
【０００８】
そこで、例えば特許文献２に記載さているような構造の液晶モジュールも考えられる。
この液晶モジュールは、上方に位置するメイン液晶パネルとこのメイン液晶パネルの背面
側に位置するフレキシブル基板を金属板からなる背面ケースで下方から覆い、そしてこの
背面ケースにはサブ液晶パネルに対応する開口部を設けておき、この開口部を塞ぐように
して下方からサブ液晶パネルを直接配置する構成である。
【特許文献１】特開２００３−３３０３７７号公報（図２、段落［０００６］〜［０００７］、［００３２］〜［００３４］）
【特許文献２】特開２００３−２０７８０１号公報（図３、段落［００１３］〜［００１９］）
【発明の開示】
【発明が解決しようとする課題】
【０００９】
特許文献２のような液晶モジュールは、携帯電話内でフレキシブル基板が露出する特許
文献１の液晶モジュールに比べると、携帯電話用の液晶モジュールとして適している。そ
れは、携帯電話は常に所有者が所持し、様々な環境下で利用されるため、フレキシブル基
板が背面ケースによって保護され、また金属の背面ケースであるため両面表示型液晶モジ
ュールの強度を高めることができ、また金属の背面ケースにより内外からのノイズをシー
ルドすること等が可能となるためである。
【００１０】
しかし、特許文献２のように金属板からなる背面ケースの場合は、表面を平坦な状態に
維持しておくことが難しい。したがってサブ液晶パネルが直接載置される開口部周辺にお
いて、背面ケースの平坦度が確保できないとサブ液晶パネルを安定して載置することがで
きない。もちろんサブ液晶パネルと背面ケースとは両面テープや接着剤などによって固定
されるが、その場合であっても、背面ケースがあまりに大きく捩じれたりしていると、接
着性も低下する。
【００１１】
また、金属板からなる背面ケースの場合は、その加工時に所謂バリが開口部などに発生
してしまう恐れが高い。このようバリが発生していると、サブ液晶パネルの固定の際にバ
リによりサブ液晶パネルにキズがついてしまう。
【００１２】
更には、一枚の金属板を加工して背面ケースが形成されているため、例えば両面表示型
液晶モジュールが衝撃などで捩じれた場合に、背面ケースと一体になっているため、背面
ケースの捩じれが直接サブ液晶パネルにも伝わり、サブ液晶パネルが割れたりする可能性
が高くなる。
【００１３】
特に、携帯電話等の携帯型の情報端末機器は、ますます小型・薄型になっており、上記
のような問題は両面表示型液晶モジュールにとって今後ますます大きくなってくる。
【００１４】
そこで、本発明の目的は、携帯型の情報端末機器に用いられる小型の両面表示型液晶モ
ジュールにおいて、金属製の背面ケースにサブ液晶パネルを載置する際に生じる上記課題
を解決し、最適な両面表示型液晶モジュールを提供することにある。
【課題を解決するための手段】
【００１５】
本発明は、メイン液晶パネルと、サブ液晶パネルを備える両面表示型の液晶モジュールにおいて、前記メイン液晶パネルの背面側に配置された金属製の背面ケースには前記サブ液晶パネルに対応した矩形状の開口部が設けられており、該開口部には着脱可能な樹脂製の枠体が設置されており、該枠体に前記サブ液晶パネルが取り付けられており、前記背面ケースの前記開口部に水平方向の凹部が形成されるとともに、前記枠体に水平方向の凸部が形成され、前記凸部が前記凹部と嵌合することで、前記枠体が前記開口部に着脱可能に設置されており、前記開口部の三辺には、前記枠体を取り囲むようにして前記メイン液晶パネルとは反対側に立ち上げられた壁部が設けられており、前記壁部が設けられた前記開口部の三辺に対応する前記枠体の三辺には、前記枠体を構成する側壁部の前記メイン液晶パネルと反対側の端部に、前記枠体の外側に向かって水平方向に延出された庇部が形成されており、前記庇部が形成されていない前記枠体の辺は、他の辺よりも前記側壁部の高さが低く形成されており、記庇部が形成されていない前記枠体の辺、及び当該辺の両隣の辺には、前記側壁部の前記メイン液晶パネル側の端部から前記枠体の内側に向かって水平方向に延出された床部が形成されており、前記壁部及び庇部が形成されていない辺に、前記サブ液晶パネルのフレキシブル基板が接続される辺が配置されていることを特徴とするものである。このような構成により、サブ液晶パネルは背面ケースと直接に接することがない。
【００１６】
また、前記開口部には水平方向の凹部が形成されており、前記枠体には水平方向の凸部
が形成されており、前記凸部が前記凹部と嵌合することで、前記枠体が前記開口部に着脱
可能に設置されていることを特徴とする両面表示型液晶モジュールである。
【００１７】
また、前記開口部には前記メイン液晶パネルとは反対側に伸びる壁部が設けられており
、前記枠体には前記壁部を覆う庇部が形成されていることを特徴とする両面表示型液晶モ
ジュールである。
【発明の効果】
【００１８】
本発明の構成により、メイン液晶パネルの背面側に金属製の背面ケースを備える両面表
示型の液晶モジュールにおいて、サブ液晶パネルの平坦度を確保したまま背面ケースに載
置しておくことができる。また金属製の背面ケースにバリができていたとしてもサブ液晶
パネルがそれにより傷つく恐れがない。また外力等により背面ケースが捩じれたりしても
、枠体によってある程度の力を吸収できるので、サブ液晶パネルの破壊を抑えることがで
きる。
【００１９】
更には、外力によってサブ液晶パネルがメイン液晶パネル側に押し込まれたとしても、
壁部によって庇部が支持されることで押し込みを防止することができる。
【発明を実施するための最良の形態】
【００２０】
本発明の液晶モジュールは、両面表示型液晶モジュールを構成するメイン液晶パネルの
背面側に配置された金属性の背面ケースであって、背面ケースにはサブ液晶パネルに対応
した開口部が設けられており、この開口部には着脱可能に枠体が設置され、この枠体にサ
ブ液晶パネルが取り付けられていることを特徴とするものである。
【００２１】
以下、図面を参照して本発明の最良の実施形態を説明する。但し、以下に示す実施形態
は、本発明の技術思想を具体化するための両面表示型液晶モジュールを例示するものであ
って、本発明をこの両面表示型液晶モジュールに特定することを意図するものではなく、
特許請求の範囲に含まれるその他の実施形態のものも等しく適応しうるものである。
【実施例】
【００２２】
図１は本発明の一実施例に係る両面表示型液晶モジュールをサブ液晶パネル側から観察
した分解斜視図である。また図２（ａ）は両面表示型液晶モジュールをサブ液晶パネル側
から観察した平面図であり、図２（ｂ）は平面図のＢ−Ｂ´線で切断した際の断面図であ
る。
【００２３】
実施例における符号１は、２画面式の携帯電話に用いられる両面表示型液晶モジュール
である。この両面表示型液晶モジュール１は、メイン液晶パネル２０と、メイン液晶パネ
ル２０を支持する中枠３０と、メイン液晶パネル２０の背面側及び中枠３０を覆う背面ケ
ース４０と、後述する背面ケース４０に設けられた開口部４１に設置される樹脂フレーム
５０と、メイン液晶パネル２０の背面に位置し樹脂フレーム５０に支持固定されるサブ液
晶パネル６０と、から構成されている。
【００２４】
メイン液晶パネル２０は、一般的な液晶パネルと同様であり、液晶（図示せず）を一対
のガラス基板からなる第１、第２基板２１ａ、２１ｂで貼り合わせた構成である。そして
第１基板２１ａ、第２基板２１ｂのそれぞれには、液晶が狭持されている側とは反対の側
において、偏光板２２ａ、２２ｂが貼り付けられている。
【００２５】
このメイン液晶パネル２０には、表示エリアと、表示エリアの周りの額縁エリアとを有
している。この表示エリアは、第１基板２１ａ、第２基板２１ｂにおいて、基板上に走査
線や映像線、スイッチング素子、画素電極、またＣＦ等が形成され、携帯電話機を使用す
る際、実際に様々な情報が表示される領域を示している。額縁エリアは、表示エリアを囲
むエリアで、スイッチング素子に接続する走査線や映像線と接続する引回配線が形成され
ていたり、基板を貼り付けるシール材が塗布されていたり、表示を行うためのドライバ（
図示せず）が第２基板２１ｂ側に載置されていたりする。
【００２６】
またメイン液晶パネル２０には、第２基板２１ｂ側と接続し、第２基板２１ｂの裏面側
に折り曲げられたメインフレキシブル基板（図示せず）を備えている。このメインフレキ
シブル基板には各種回路素子等が形成されている。
【００２７】
中枠３０は、プラスチックからなる枠状の基材３１からなり、メイン液晶パネル２０を
支持固定している。そして基材３１で囲まれた空間にはバックライトユニット３２を備え
ている。バックライトユニット３２は、図示していないがＬＥＤ等の光源と、一枚の導光
板３３及び導光板３３の前後にそれぞれ配置される光学シート３４ａ、３４ｂ等で構成さ
れている。
【００２８】
導光板３３は、厚さ０．６ｍｍ程度の肉薄な板状体からなり、光源から出光する光をそ
の一端部から内部に導入し、導光板の表面側及び裏面側へ導出させるものである。導光板
３３は透明材料で形成され、例えばアクリル樹脂材が用いられている。
【００２９】
光学シート３４ａ、３４ｂは、拡散シートやプリズムシートなど、様々な種類のものを
複数枚積層して用いられるものであるが、図では一枚ずつしか示していない。そして光学
シート３４ａはメイン液晶パネル２０の表示のために主に用いられるものであり、光学シ
ート３４ｂはサブ液晶パネル５０の表示のために主に用いられるものである。
【００３０】
背面ケース４０は、メイン液晶パネル２０の背面側に配置されており、メイン液晶パネ
ル２０及び中枠３０を収納固定する箱状に形成されている。この背面ケース４０は金属材
からなる板金を加工整形したものであり、その材料としては、アルミニウムやステンレス
、マグネシウムなどの金属材料から構成されている。
【００３１】
この背面ケース４０の箱状底部４１には、サブ液晶パネル６０の大きさよりも若干大き
い矩形状の開口部４２を備えている。この開口部４２はサブ液晶パネル６０の厚さよりも
若干高くなるような壁部４３を三辺に形成している。
【００３２】
そしてこの壁部４３はメイン液晶パネル２０とは反対側に高く伸びており、サブ液晶パ
ネル６０の周辺において両面表示型液晶モジュール１の厚さをできるだけ薄くするように
している。また壁部４３に三辺にだけ設け、壁部４３の設けていない辺においては後述す
るサブ液晶パネル６０に接続するサブフレキシブル基板が位置することになる。
【００３３】
またこの壁部４３設けられた内の対向する二辺において、一辺に二つの取付部４４が設
けられている。この取付部４４は水平方向の凹部４４ａを有している。
【００３４】
樹脂フレーム５０は、背面ケース４０に着脱可能に取り付けられる枠体であり、プラス
チックやアクリル等の樹脂を成型して作られたものである。この樹脂フレーム５０を用い
ることでサブ液晶パネル６０が背面ケース４０と直接に接しないようにしている。
【００３５】
この樹脂フレーム５０は背面ケース４０の開口部４２の周辺と略接するような側壁部５
１ａと、側壁部５１ａの一方の端部から内部方向に伸びる床部５１ｂと、側壁部５１ａの
他方の端部から外方向に伸びる庇部５１ｃから構成されている。
【００３６】
床部５１ｂはサブ液晶パネル６０を載置するように、サブ液晶パネル６０の額縁領域内
に形成されており、側壁部５１ａと床部５１ｂとでサブ液晶パネル６０を支持固定してい
る。なおこのときサブ液晶パネル６０と樹脂フレーム５０との間に両面テープや接着剤を
用いて支持固定してもよい。
【００３７】
庇部５１ｃは、背面ケース４０の壁部４３を覆うように設けられており、サブ液晶パネ
ル６０側から外力が加わった際に、庇部５１ｃが壁部４３により支持されることで、サブ
液晶パネル６０のメイン液晶パネル２０側への急激な落ち込みを防止するようになってい
る。
【００３８】
また、側壁部５１ａには、背面ケース４０の取付部４４に対応し、水平方向の凸部５２
が設けられており、この凸部５２を凹部４４ａと嵌合させることで、樹脂フレーム５０を
背面ケース４０に着脱自在に取り付けることができる。なお凸部５２の裏側、つまりサブ
液晶パネル６０が収まる側には、床部５１ｂに隙間５３が設けられており、凸部５２に弾
性を付与しているため、凸部５２を凹部４４ａに嵌合させやすくなっている。
【００３９】
サブ液晶パネル６０は、基本的な構造はメイン液晶パネル２０と同様であり、液晶（図
示せず）を一対のガラス基板からなる第１、第２基板６１ａ、６１ｂで貼り合わせた構成
である。そして第１基板６１ａ、第２基板６１ｂのそれぞれには、液晶が狭持されている
側とは反対の側において、偏光板６２ａ、６２ｂが貼り付けられている。なお図１におい
ては偏光板６２ｂを図示せずに示している。そしてサブ液晶パネル６０にも、第１基板６
１ａ側と接続するサブフレキシブル基板（図示せず）を有し、このサブフレキシブル基板
は、メインフレキシブル基板上に形成されたコネクタに挿入される。
【００４０】
以下に、この両面表示型液晶モジュール１の組立て方法の一例を説明する。
【００４１】
まず、中枠３０にバックライトユニット３２を装着する。
【００４２】
次に、中枠３０でメイン液晶パネル２０を支持固定する。このときメイン液晶パネル２
０に接続するメインフレキシブル基板を中枠３０の背面側へ折り曲げる。
【００４３】
次に、サブ液晶パネル６０を樹脂フレーム５０で支持固定する。樹脂フレーム５０は金
型を使って成型することができるので極めて平坦度の高いものを容易に成型することがで
きる。それに比べ金属の背面ケースは一旦成型した後も衝撃等で変形しやすいため、サブ
液晶パネル６０を金属の背面ケース４０で直接固定する場合に比べ、極めて平坦度の高い
状態でサブ液晶パネル６０を支持固定することができる。
【００４４】
次に、一体となったサブ液晶パネル６０と樹脂フレーム５０とを背面ケース４０に取り
付ける。取付方法は、樹脂フレーム５０の凸部５２を背面ケース４０の凹部４４ａに嵌合
させることで行われる。このように、サブ液晶パネル６０を直接背面ケース４０に取り付
けるのではなく、樹脂フレーム５０を介して背面ケース４０と固定するようにしている。
したがって、背面ケース４０にバリが生じていても、サブ液晶パネル６０は直接背面ケー
ス４０と接することがないので傷がつく心配もない。
【００４５】
そして、サブ液晶パネル６０に接続するサブフレキシブル基板を背面ケース４０の壁部
４３がない辺を介して背面ケース４０の外側から内側へ折り曲げる。
【００４６】
次に、このサブフレキシブル基板を中枠３０の背面側に折り曲げられたメインフレキシ
ブル基板へコネクタを介して接続するとともに、サブ液晶パネル６０、樹脂フレーム５０
とを備えた背面ケース４０で、メイン液晶パネル２０と中枠３０とを収納する。このよう
にして両面表示型液晶モジュール１が完成する。
【００４７】
このとき、サブ液晶パネル６０は直接背面ケース４０に取り付けられているのではなく
、樹脂フレーム５０を介して背面ケース４０に取り付けられている。したがって、両面表
示型液晶モジュール１に外力が加わって、背面ケース４０も捩じれ等が生じたとしても、
サブ液晶パネル６０との間に介在する樹脂フレーム５０によってある程度の力を吸収でき
るので、サブ液晶パネル６０が破壊される危険性を低減することができる。
【００４８】
このように組み立てた両面表示型液晶モジュール１は、２画面式の携帯電話に搭載され
るものであり、具体的には携帯電話のハウジング内部に収納され、携帯電話のメイン制御
基板からのびるフレキシブル基板に接続され、各種信号が両面表示型液晶モジュール１に
入力され、各種の情報が表示される。そして携帯電話を折り曲げた状態では、携帯電話の
ハウジングから覗くサブ液晶パネル６０を介して表示がなされ、携帯電話を伸ばした状態
では、携帯電話のハウジングから覗くメイン液晶パネル２０を介して表示がなされること
になる。
【００４９】
なお、この両面表示型液晶モジュール１は、携帯電話に限定されるものではなく、他の
携帯情報端末、例えばＰＤＡなどに搭載することもできる。
【図面の簡単な説明】
【００５０】
【図１】本発明における両面表示型液晶モジュールをサブ液晶パネル側から観察した分解斜視図である。
【図２】（ａ）は両面表示型液晶モジュールをサブ液晶パネル側から観察した平面図であり、（ｂ）は平面図のＢ−Ｂ´線で切断した際の断面図である。
【図３】従来の両面表示型液晶モジュールの分解斜視図である。
【符号の説明】
【００５１】
１  両面表示型液晶モジュール
２０  メイン液晶パネル
３０  中枠
４０  背面ケース
４３  壁部
４４  取付部
５０  樹脂フレーム
６０  サブ液晶パネル
【図１】
0004802809.tif 000002
【図２】
0004802809.tif 000003
【図３】
0004802809.tif 000004